(57)【要約】      （修正有）【課題】  取り出し方の自由度が高くしかも簡単かつ確実に製品を取り出すことができるマルチパック用包装箱を提供する。【解決手段】  本発明のマルチパック用包装箱は、複数個を並列に配置された容器群の上面を覆う上面板２と、この上面板２の両側部に連接され並列された各容器の側面を覆う側面板３，４と、これら側面板３，４に連接され互いに係着しうる係止部を有する底面板６とを備え、底面板６を係着することにより容器群を包むように収納することができるとともに、側面板が存在しない両端部において容器群の一部の側面が覗く開口部が形成されており、側面板３，４には、側面板３，４の所定の奥側位置から手前の開口部に向けて、引き裂き除去可能な引裂き開口片３０，４０が少なくとも１つ形成されるように構成される。【選択図】  図２
2006137459.tif 000002
【特許請求の範囲】
【請求項１】
複数個を並列に配置された容器群の上面を覆う上面板と、
この上面板の両側部に連接され並列された各容器の側面を覆うように配置された対向する側面板と、
これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されるマルチパック用包装箱において、
前記側面板には、側面板の所定の奥側位置から手前の開口部に向けて、引き裂き除去可能な引裂き開口片が少なくとも１つ形成されてなることを特徴とするマルチパック用包装箱。
【請求項２】
前記側面板に形成された引裂き開口片は、引き裂き除去される形状に沿って不連続な切り込み線が形成されており、引き裂き除去の際の切り込み線の最終端が、開口部の近傍上下に形成されているトップガゼットホールおよびボトムガゼットホールに実質的に向けられて形成されてなる請求項１に記載のマルチパック用包装箱。
【請求項３】
前記側面板に形成された引裂き開口片は、奥側位置から開口部に向けて、その引き裂き幅が漸増的に広幅となるように形成されてなる請求項１または請求項２に記載のマルチパック用包装箱。
【請求項４】
前記引裂き開口片は、奥側位置付近に形成された引き裂き開始窓形成部と、これに連接し開口部側へ延びる引き裂き領域形成部を有し、
前記引き裂き開始窓形成部は、箱外部からの押圧により内側へのフラップ状の折込による凹みが形成できるようになっており、この凹みを把持部分として開口部側への引き裂き開始ができるようになっている請求項１ないし請求項３のいずれかに記載のマルチパック用包装箱。
【請求項５】
前記引き裂き開始窓形成部は、引裂き開口片の先端部を形成する湾曲部と、この湾曲部を弧状として描くように形成された折り線部を有し、
前記折り線部が、前記フラップ状の折込による凹みを形成する際のフラップ片基部として形成されてなる請求項４に記載のマルチパック用包装箱。
【請求項６】
前記引き裂き開始窓形成部は、包装箱に収納される容器との関係において、容器が隣接する際に生じる隙間位置に存在するように形成されてなる請求項４または請求項５に記載のマルチパック用包装箱。
【請求項７】
前記包装箱に収納される容器は、包装箱底部に立設された円筒状の容器であり、
前記引き裂き開始窓形成部は、容器が隣接する際に生じる隙間位置（谷部空間）に存在するように形成されてなる請求項６に記載のマルチパック用包装箱。
【請求項８】
前記対向する側面板には、それぞれ、鏡像関係に形成された引き裂き除去可能な引裂き開口片が１対、合計２つ形成されてなる請求項１ないし請求項７のいずれかに記載のマルチパック用包装箱。
【請求項９】
前記上面板には上面引裂き開口片が形成されており、この上面引裂き開口片の引裂き開始側に位置する開口部側に、前記引裂き開口片が形成されてなる請求項８に記載のマルチパック用包装箱。
【請求項１０】
前記対向する側面板には、それぞれ、鏡像関係に形成された引き裂き除去可能な引裂き開口片が２対、合計４つ形成されてなる請求項１ないし請求項７のいずれかに記載のマルチパック用包装箱。
【発明の詳細な説明】
【技術分野】
【０００１】
本発明は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を並列した状態のまま包装するマルチパック用包装箱に関する。
【背景技術】
【０００２】
従来から、缶ビールや缶ジュース等の複数個の容器を複数個一列あるいは複数列で起立させた状態のまま整列させて置き、つぎに容器の上部、側部および下部を包み込むようにして包装した紙製のマルチパック用包装箱が使用されている。
【０００３】
このようなマルチパック用包装箱の使用により、複数個の缶ビールや缶ジュース等を１個の包装体にまとめて一度にかつ簡易に持ち運ぶことができるようになり、さらに、纏め売りの効果も相俟って当該マルチパック用包装箱の使用が近年急速に拡大しつつある。
【０００４】
小売店では、一般に、マルチパック用包装箱は段状の陳列棚やショーケースに収納された状態で販売されており、また、家庭で飲食する消費者は、一般にマルチパック用包装箱を段状の収納棚に収納していることが多い。いずれの場合も、収納スペース等の制約からマルチパック用包装箱は、上下にあまり隙間のない状態で収納されていることが多い。
【０００５】
しかしながら、従来のマルチパック用包装箱は、その上面にしか取り出しのための開口部がついておらず、棚等に収納し、上部に隙間がない場合には、マルチパック用包装箱を開口することが極めて困難であるという問題が生じていた．
【特許文献１】特開２００４−１６１３３７
【発明の開示】
【発明が解決しようとする課題】
【０００６】
このような課題を解決するために本願発明は創案されたものであって、その目的は、誰もが利用しやすいユニバーサルデザイン概念のもとにマルチパック用包装箱の仕様を見直し、特に、取り出し方の自由度が高くしかも簡単かつ確実に製品を取り出すことができるマルチパック用包装箱を提供することにある。
【課題を解決するための手段】
【０００７】
上記課題を解決するために本発明は、複数個を並列に配置された容器群の上面を覆う上面板と、この上面板の両側部に連接され並列された各容器の側面を覆うように配置された対向する側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されるマルチパック用包装箱において、前記側面板には、側面板の所定の奥側位置から手前の開口部に向けて、引き裂き除去可能な引裂き開口片が少なくとも１つ形成されてなるように構成される。
【０００８】
また、本発明の好ましい態様として、前記側面板に形成された引裂き開口片は、引き裂き除去される形状に沿って不連続な切り込み線が形成されており、引き裂き除去の際の切り込み線の最終端が、開口部の近傍上下に形成されているトップガゼットホールおよびボトムガゼットホールに実質的に向けられて形成されてなるように構成される。
【０００９】
また、本発明の好ましい態様として、前記側面板に形成された引裂き開口片は、奥側位置から開口部に向けて、その引き裂き幅が漸増的に広幅となるように形成されてなるように構成される。
【００１０】
また、本発明の好ましい態様として、前記引裂き開口片は、奥側位置付近に形成された引き裂き開始窓形成部と、これに連接し開口部側へ延びる引き裂き領域形成部を有し、前記引き裂き開始窓形成部は、箱外部からの押圧により内側へのフラップ状の折込による凹みが形成できるようになっており、この凹みを把持部分として開口部側への引き裂き開始ができるように構成される。
【００１１】
また、本発明の好ましい態様として、前記引き裂き開始窓形成部は、引裂き開口片の先端部を形成する湾曲部と、この湾曲部を弧状として描くように形成された折り線部を有し、前記折り線部が、前記フラップ状の折込による凹みを形成する際のフラップ片基部として形成されてなるように構成される。
【００１２】
また、本発明の好ましい態様として、前記引き裂き開始窓形成部は、包装箱に収納される容器との関係において、容器が隣接する際に生じる隙間位置に存在するように形成されてなるように構成される。
【００１３】
また、本発明の好ましい態様として、前記包装箱に収納される容器は、包装箱底部に立設された円筒状の容器であり、前記引き裂き開始窓形成部は、容器が隣接する際に生じる隙間位置（谷部空間）に存在するように形成されてなるように構成される。
【００１４】
また、本発明の好ましい態様として、前記対向する側面板には、それぞれ、鏡像関係に形成された引き裂き除去可能な引裂き開口片が１対、合計２つ形成されてなるように構成される。
【００１５】
また、本発明の好ましい態様として、前記上面板には上面引裂き開口片が形成されており、この上面引裂き開口片の引裂き開始側に位置する開口部側に、前記引裂き開口片が形成されてなるように構成される。
【００１６】
また、本発明の好ましい態様として、前記対向する側面板には、それぞれ、鏡像関係に形成された引き裂き除去可能な引裂き開口片が２対、合計４つ形成されてなるように構成される。
【発明の効果】
【００１７】
本発明のマルチパック用包装箱は、複数個を並列に配置された容器群の上面を覆う上面板と、この上面板の両側部に連接され並列された各容器の側面を覆う側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されており、前記側面板には、側面板の所定の奥側位置から手前の開口部に向けて、引き裂き除去可能な引裂き開口片が少なくとも１つ形成されてなるように構成されているので、マルチパック用包装箱の中に接触状態で充填されている製品容器の取り出し方の自由度が高くなり、例えば、棚等に収納し、上部に隙間がない場合であっても、包装箱を開口することができる。製品の取り出しも簡単でかつ確実に行うことができる。
【発明を実施するための最良の形態】
【００１８】
以下、本発明のマルチパック用包装箱１の最良の形態の一例について、図１〜図４を参照しつつ説明する。
【００１９】
図１は、本発明のマルチパック用包装箱１の展開図の一例を示したものであり、図２は、図１に示される展開された箱オリジナル紙を組み立てた斜視図であり、図３は、図１に示される展開された箱オリジナル紙を組み立てた斜視図であり、中に缶ビールで代表される缶容器が収納されている状態を示す斜視図である。
【００２０】
図４は、本発明の作用の一例を示す図面であって、具体的には引裂き開口片を除去した後に、中の缶容器を取り出す状態を示す斜視図である。図５は、マルチパック用包装箱を４個、出荷カートンケース内に納めた状態を模式的に示した概略斜視図である。
【００２１】
本発明における好適な実施の形態として、缶ビールを６個収納（直列した３缶を２列に並列させて収納）することができる一般的なマルチパック用包装箱１を一例にとって説明する。
【００２２】
本発明のマルチパック用包装箱１は、図１に示される展開シート（パック用シート）を組み立てることによって形成することができ、展開シートは、図１に示されるごとく横長の略矩形形状をなしている。
【００２３】
図１に示される展開シートにおいて、その中央部は上面板２を構成し、その両端にそれぞれ側面板３、４が連接されている。そして、側面板３の先端側となる図面の左側部分には底面板５が形成され、側面板４の先端側となる図面の右側部分には底面板６がそれぞれ形成されている。
【００２４】
上面板２は、直列３個を並列２列に起立状態に整列させた缶ビール６個の上面を覆うように、図面の縦辺１ａ方向にはビール缶３缶分、横片１ｂ方向にはビール缶２缶分の長さからなる面積を備えている。上面板２の両側には缶ビールの側部を覆うようにその高さに相当する側面板３、４がそれぞれ境界線をなす折り線２ａ、２ｂを介して連設されている。
【００２５】
底面板５、６には先端部で互いに係着し得る雌側の係止部７（底面板５側）および雄側の係止部８（底面板６側）がそれぞれ形成されている。
【００２６】
図面の左側に位置している底面板５側の係止部７は、先端部を形成する展開シートの一方の縦辺１ａに平行な第１係止部７ａと、その内側に同じく縦辺１ａに平行に設けられた第２係止部７ｂとから構成されている。これら第１係止部７ａ、および第２係止部７ｂは、縦辺１ａの中央とその両端側の３箇所にそれぞれ設けられている。
【００２７】
この実施形態では、第１係止部７ａの形状は切り抜かれた縦長の略四角孔となっていて、その孔の一辺ａが係合部に形成され、第２係止部７ｂの形状は切り込みとなっている。
【００２８】
これに対し、図面の右側に位置している底面板６側の雄側の係止部８は、前記第１係止部７ａおよび第２係止部７ｂとにそれぞれ係着し得るように形成された第１係止部８ａおよび第２係止部８ｂとから構成されている。
【００２９】
この実施の形態では、第１係止部８ａの形状は、縦辺１ａに平行な直線で中央が内側に凹部ｂとなる切り込みとなっている。第２係止部８ｂの形状は第１係止部８ａの幅から縦辺１ａの外側へ先細りとなって首部ｄに至り、これに続く先端は首部ｄより幅のある頭部ｃとして形成されている。
【００３０】
また、前記側面板３、４の横辺１ｂ側の各端部には、内側に折り込んで前記上面板２および底面板５、６の隅部との間にビール缶の脱落を防止するためのガゼット１０ａ、１０ｂを構成する折り込み片９が境界線をなす折り線３ｂ、４ｂを介して連設されている。なお、ガゼット１０ａ、１０ｂの状態は図３に分かりやすく示されている。この折り込み片９の折り目３ｂ、４ｂには、内側に折り易くするために切り込み（スリット）を入れることが望ましい。
【００３１】
このような底面板５、６を係着することにより、缶ビール等の容器１９群を包むように収納できるマルチパック用包装箱１が組立てられる。そして、図２や図３に示されるようにマルチパック用包装箱１の側面板３、４が存在しない両端部において容器群の一部の側面が覗く開口部Ｐがそれぞれ形成される。
【００３２】
本発明の実施形態における上面板２は、その開口部Ｐ側において、容器の天面蓋９０の周縁に形成されているリング状突起９５の一部が覗くように切り欠き部５０が形成されている（図１〜図３参照）。
【００３３】
このような切り欠き部５０は、缶製品の引き出しが出来るだけ簡易にかつ容易に行えるように形成されている（取り出し容易性の向上）。すなわち、図３に示されるように、覗いているリング状突起９５の一部を指先端に引っ掛けて引っ張ることにより、容易に缶ビールを取り出すことができる。
【００３４】
このような切り欠き部５０の形状は、湾曲形状をなすことが特に好ましく、当該切り欠き部５０の個数は、開口部Ｐから覗く容器の数に対応して同じ個数形成されることが望ましい。ただし、本発明において、切り欠き部５０の存在は必須のものではなく、切り欠き部５０を備えていないマルチパック用包装箱であってもよいことは勿論である。
【００３５】
なお、図１における、符号１３はコンプレッションホール（６箇所）、符号１４ａは山折り線、符号１４ｂは谷折り線をそれぞれ表している。さらに符号１５ａはトップガゼットホール（４箇所）、符号１５ｂはボトムガゼットホール（４箇所）、符号１６はフィンガーホール（２箇所）、符号１７は切り取り線、符号１８はロット確認窓をそれぞれ表している。上面板２に符号１７で示されている切り取り線は、上面引裂き開口片を形成している。図１の符号１７ａ側から上面引裂き開口片の引き剥がし操作が開始されるようになっている。
【００３６】
（本発明の要部構造の説明）
本発明の要部は、側面板３、４にそれぞれ、側面板の所定の奥側位置から手前の開口部Ｐに向けて、引き裂き除去可能な引裂き開口片３０、４０が形成されている点にある。本発明における奥側位置とは、開口部Ｐから側面板の中ほどに進んだ箇所、すなわち符号３２、符号４２で示される湾曲部の先端頂点付近を示している。
【００３７】
本実施の形態において、側面板３に形成されている引裂き開口片３０と、側面板４に形成されている引裂き開口片４０とは実質的に同じものであるから、側面板３に形成されている引裂き開口片３０を代表例として以下説明し、適宜、引裂き開口片４０に係る図面符号を括弧を用いて表示することにする。
【００３８】
引裂き開口片３０（４０）は、引き裂き除去される形態に沿って不連続な切り込み線が形成されており、引き裂き除去の際の切り込み線の最終端３１ａ，３５ａ（４１ａ，４５ａ）が、それぞれ開口部Ｐの近傍上下に形成されているトップガゼットホール１５ａおよびボトムガゼットホール１５ｂへと実質的に向けられて形成されている。ここで、『実質的に向けられて形成されている』とは、取り出し口を形成するために引裂き開口片３０（４０）を除去する際にトップガゼットホール１５ａおよびボトムガゼットホール１５ｂを経由して、開口片３０（４０）が除去されるようになっていることを意味する。これによって、引裂き開口片３０（４０）を包装箱本体から容易に引き離すことができる。
【００３９】
引裂き除去操作に際し、引裂き開口片３０（４０）がトップガゼットホール１５ａおよびボトムガゼットホール１５ｂの位置まで来た後は、引裂き抵抗はほとんどないため、その後、いっきに引裂き開口片３０（４０）を引き裂き除去することができる。
【００４０】
引裂き開口片３０（４０）の切り取られる形状は、図示のごとく奥側位置から開口部Ｐに向けて、その引き裂き幅が漸増的に広幅となるように形成されることが好ましい。図４に示されるように引裂き開口片３０（４０）を取り除いた後に、取り除いた側から手を挿入して包装箱本体内部の製品を取り易くするためである。
【００４１】
さらに、引裂き開口片３０（４０）の形状について詳述すると、図１に示されるように引裂き開口片３０（４０）は、奥側付近に位置する引き裂き開始窓形成部αと、これに連接し開口部側へ延びる引き裂き領域形成部βを有している。引き裂き開始窓形成部αは、箱外部からの押圧により内側へのフラップ状の折込による凹み（箱内部に入る部分）が形成できるようになっており、この凹みを把持部分として引き裂き開始ができるようになっている。
【００４２】
引き裂き開始窓形成部αは、引裂き開口片の先端部を形成する湾曲部３２（４２）と、この湾曲部３２（４２）を弧状として描くように形成された折り線部Ｅを有し、この折り線部Ｅが、前述のフラップ状の折込による凹みを形成する際のフラップ片基部として作用する。
【００４３】
そして、折り線部Ｅは、その中央部に切れ込み線３３（スリット３３）が形成されており、その両端に部分折れ線３４、３４が形成されている。このような切れ込み線３３と部分折れ線３４、３４との組合せによって、フラップ状の折込により形成された凹みがそのままの形態を維持しやすくなり（すなわち、凹みがもとの平面状態に戻り難くなる）、次の把持操作が簡単に行える。
【００４４】
また、引き裂き開始窓形成部αは、フラップ状の折込による凹みを確実に形成するために、包装箱に収納される容器との関係において、容器が隣接する際に生じる隙間位置に存在するように形成されることが望ましい。すなわち、マルチパック用包装箱に収納される缶ビール容器が包装箱底部に立設され、２×３の配列状態（図３に示されるように開口部Ｐに２個見える）で収納されている場合、引き裂き開始窓形成部αは、容器が隣接する際に生じる隙間位置（谷部空間）に存在するように形成されることが好ましい。
【００４５】
上記の配置形態の場合、１個目の容器と２個目の容器との接触部位、２個目の容器と３個目の容器との接触部位の２箇所に隙間位置（谷部空間）に存在することになる。いずれの隙間位置（谷部空間）に引き裂き開始窓形成部αを形成してもよいが、箱強度や引き裂き操作のやり易さ等を考慮すれば、開口部Ｐから最初の隙間位置（谷部空間）に引き裂き開始窓形成部αを形成するようにすることが望ましい。
【００４６】
なお、隙間位置（谷部空間）は、図６の平面図に明瞭に示されているのでこの図面を参照してご理解頂きたい。図６は、マルチパック用包装箱の平面図であり、図３の平面図に相当するものである。
【００４７】
また、図１に示されるごとく引き裂き開始窓形成部αの湾曲部３２（４２）は、点線状の切り込み線によって形取られて構成するのが良い。また、引き裂き領域形成部βは、『へ』の字状の切り込み線、すなわち、引き裂き領域形成部βを形取る点線状の切り込み線部分と、この点線状の切り込み線部分の奥側位置に連接すると共に、引裂き開口片の内側に切り込まれた線部を備える『へ』の字状の切り込み線により形成するのが良い。ただし、『へ』の字状の切り込み線に限定されることなく、例えば、点線状やＹ字状等の他の切り込み形状としてもよい。
【００４８】
上述してきた本発明の実施形態では、対向する側面板３、４にそれぞれ、引裂き開口片３０、４０を鏡像関係に一対形成させた場合（合計２つ形成）を例示している。この場合、上面板２に形成されている上面引裂き開口片（符号１７の切り取り線で形成される）の引裂き側１７ａが位置する開口部Ｐ側の側面板３、４に、２つの引裂き開口片３０、４０を形成することが望ましい。上部および左右の３方からの取り出し開口が可能となるからである。
【００４９】
なお、引裂き開口片の個数は１個でもよく、図１に示される引裂き開口片３０、４０の一方のみを形成するようにしてもよい。
【００５０】
また、２つの開口部Ｐに向けて４つの引裂き開口片を形成することもできる。すなわち、対向する側面板３、４にそれぞれ、鏡像関係に形成された引き裂き除去可能な引裂き開口片を２対、合計４つ形成するようにしてもよい。また、この４つの状態から１つの引裂き開口片の形成を省略して３つの引裂き開口片としてもよい。
【００５１】
また、２つの引裂き開口片を対角に配置してもよい。
【００５２】
なお、上記の実施形態では、２×３配列のいわゆる６缶マルチパック用包装箱について説明してきたが、２×４配列のいわゆる８缶マルチパック用包装箱についても同様に適用することができる。８缶マルチパック用包装箱の場合、１個目の容器と２個目の容器との接触部位、２個目の容器と３個目の容器との接触部位、３個目の容器と４個目の容器との接触部位の３箇所に隙間位置（谷部空間）に存在することになる。いずれの隙間位置（谷部空間）に引き裂き開始窓形成部αを形成してもよいが、この場合もやはり開口部Ｐから最初の隙間位置（谷部空間）に引き裂き開始窓形成部αを形成するようにすることが望ましい。
【００５３】
（具体的包装作用の一例の説明）
次に具体的包装作用の一例を説明する。まず、図１に示されるパック用シートを裏返して、その上面板２の部分の上部に缶ビール６本の底部を上向きとして直列した３缶を２列に並列させて載置する。
【００５４】
その上で、缶ビールの側部を覆うように側面板３、４を折り線２ａ、２ｂを境界線として内側に折り、さらに缶ビールの底部を覆うように底面板５および６を折り線３ａ、４ａを境界線として内側に折り、底面板６の縦辺１ａに設けられている雄側の第２係止部８ｂを頭部ｃから底面板５側の縦辺１ａ方向に設けられている雌側の第１係止部７ａの孔を通して第２係止部７ｂと互いに係着させて第１係止部８ａの首部ｄで抜け止めするとともに、雄側の第１係止部８ａの凹部ｂを雌側の第１係止部７ａの横長の四角孔を形成する一辺ａに係着させることによりパック用シート１は無端状態に形成されて缶ビールに帯がかかった状態の缶入りマルチパック用包装箱となる。
【００５５】
このとき、各折り込み片９が内側に折り込まれると上面板２と側面板３、４との隅部にトップガゼット１０ａが、また側面板３、４と底面板５、６との隅部にボトムガゼット１０ｂがそれぞれ形成され、マルチパック用包装箱１に包装された缶ビールの抜け止めがなされる。
【００５６】
このパック用シート１を上面板２面が上になるように反転させると図３に示されるような斜視図の形態となる。
【００５７】
（引裂き開口片３０（４０）を除去する操作の一例の説明）
引裂き開口片３０（４０）の引き裂き開始窓形成部αを箱外部から２本の指先で押圧して湾曲部３２（４２）のミシン目を押し裂き、箱の内側へフラップ状の折込による凹み（箱内部に入る部分）を形成するとともに、この凹みに指先を挿入したまま把持して引き裂き領域形成部βを起こしながら手前の開口部Ｐ側に引く。
【００５８】
すると、引裂き開口片３０（４０）の形状を形取っている切り取り線（ミシン目）に沿って、引裂き開口片３０（４０）は開口部Ｐ側に徐々に切り取られて行き、トップガゼットホール１５ａおよびボトムガゼットホール１５ｂを経由していっきに引き裂き除去される。
【００５９】
しかる後、図４に示されるように引裂き開口片３０（４０）を取り除いた後に形成された取り出し開口部に、手を挿入して包装箱本体内部の製品を取り出す操作が行われる。
【００６０】
なお、本発明における実施形態では缶ビールの包装を例にとって説明したが、このものに限定されるものではない。例えば、発泡酒缶、チューハイ缶等のアルコール飲料缶や、缶ジュース、缶コーヒー、缶紅茶、缶入り茶等のノンアルコール飲料缶などその他の各種缶製品にも適用できることは勿論のことである。
【産業上の利用可能性】
【００６１】
本発明のマルチパック用包装箱は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を包装するための包装箱であり、包装産業一般に利用することができる。
【図面の簡単な説明】
【００６２】
【図１】本発明のマルチパック用包装箱の展開図の一例を示したものである。
【図２】図１に示される展開された箱オリジナル紙を組み立てた斜視図である。
【図３】図１に示される展開された箱オリジナル紙に缶製品を収納した状態で組み立てた斜視図である。
【図４】引裂き開口片を取り除いた後に形成された取り出し開口部に、手を挿入して包装箱本体内部の製品を取り出す状態を示す斜視図である。
【図５】マルチパック用包装箱を４個、出荷カートンケース内に納めた状態を模式的に示した概略斜視図である。
【図６】マルチパック用包装箱の平面図であり、図３の平面図に相当する。
【符号の説明】
【００６３】
１…マルチパック用包装箱
２…上面板
３、４…側面板
５、６…底面板
１５ａ…トップガゼットホール
１５ｂ…ボトムガゼットホール
３０、４０…引裂き開口片
３１ａ、３５ａ、４１ａ、４５ａ…引き裂き除去の際の切り込み線の最終端
３２、４２…引裂き開口片の先端部を形成する湾曲部
３３…切れ込み線（スリット）
３４…部分折れ線
５０…切り欠き部
α…引き裂き開始窓形成部
β…引き裂き領域形成部
Ｅ…折り線部
Ｐ…開口部
【図１】
2006137459.tif 000003
【図２】
2006137459.tif 000004
【図３】
2006137459.tif 000005
【図４】
2006137459.tif 000006
【図５】
2006137459.tif 000007
【図６】
2006137459.tif 000008